(57)【要約】【課題】  ネットワークカメラのＩＰアドレスを意識することなく容易にアクセス可能にするネットワークハブ装置を実現する。【解決手段】  ネットワークハブ装置において、複数台のネットワーク機器を接続するポートを有するスイッチングハブ手段と、ネットワークを介して通信を行う通信手段と、ハブ管理テーブルを記憶する記憶手段と、スイッチングハブ手段のポートに接続されたネットワーク機器からＩＰアドレスの取得要求があった場合にＤＨＣＰサーバ機能を用いて取得要求のあったネットワーク機器に対してＩＰアドレス割り当てると共にネットワーク機器が接続されているポートのポート番号、割り当てたＩＰアドレス及びポートに対するポート名称をそれぞれハブ管理テーブルに登録する制御手段とを設ける。【選択図】                    図１
2006054771.tif 000002
【特許請求の範囲】
【請求項１】
ネットワークハブ装置において、
複数台のネットワーク機器を接続するポートを有するスイッチングハブ手段と、
ネットワークを介して通信を行う通信手段と、
ハブ管理テーブルを記憶する記憶手段と、
前記スイッチングハブ手段のポートに接続されたネットワーク機器からＩＰアドレスの取得要求があった場合にＤＨＣＰサーバ機能を用いて取得要求のあったネットワーク機器に対してＩＰアドレス割り当てると共に前記ネットワーク機器が接続されているポートのポート番号、割り当てた前記ＩＰアドレス及び前記ポートに対するポート名称をそれぞれ前記ハブ管理テーブルに登録する制御手段と
を備えたことを特徴とするネットワークハブ装置。
【請求項２】
前記制御手段が、
前記通信手段を介して接続要求を受信した場合に受信した接続要求からポート名称を抽出し、抽出されたポート名称に基づき前記記憶手段に格納されている前記ハブ管理テーブルを検索して前記ポート名称に対応するＩＰアドレスを取得し、取得したＩＰアドレスに基づき受信した接続要求のアドレスを変換すると共に前記スイッチングハブ手段を介して当該ＩＰアドレスに対応するネットワーク機器に転送することを特徴とする
請求項１記載のネットワークハブ装置。
【請求項３】
前記接続要求には、
ネットワークハブ装置のＩＰアドレス、接続したいネットワーク機器が接続されているポートに対するポート名称及び要求するファイル名が順次記述されていることを特徴とする
請求項２記載のネットワークハブ装置。
【請求項４】
前記制御手段が、
前記接続要求中の前記ネットワークハブ装置のＩＰアドレス及び前記ポート名称部分を前記取得したＩＰアドレスに置換して受信した接続要求のアドレスを変換することを特徴とする
請求項３記載のネットワークハブ装置。
【請求項５】
前記記憶手段が、
ハードディスク、ＲＡＭ、若しくは、フラッシュメモリであることを特徴とする
請求項１乃至請求項４のいずれかに記載のネットワークハブ装置。
【請求項６】
画像情報を前記ネットワーク上に配信する前記ネットワーク機器を用いたネットワークシステムに適用したことを特徴とする
請求項１乃至請求項４のいずれかに記載のネットワークハブ装置。
【請求項７】
音声情報を前記ネットワーク上に配信する前記ネットワーク機器を用いたネットワークシステムに適用したことを特徴とする
請求項１乃至請求項４のいずれかに記載のネットワークハブ装置。
【請求項８】
測定情報を前記ネットワーク上に配信する前記ネットワーク機器を用いたネットワークシステムに適用したことを特徴とする
請求項１乃至請求項４のいずれかに記載のネットワークハブ装置。
【請求項９】
観測情報を前記ネットワーク上に配信する前記ネットワーク機器を用いたネットワークシステムに適用したことを特徴とする
請求項１乃至請求項４のいずれかに記載のネットワークハブ装置。
【発明の詳細な説明】
【技術分野】
【０００１】
本発明は、撮影した画像情報等をネットワーク上に配信するネットワークカメラを用いたネットワークシステム等に用いられるハブ（集線装置）に関し、特にネットワークカメラ等のネットワーク機器のＩＰ（Internet Protocol）アドレスを意識することなく容易にアクセス可能にするネットワークハブ装置に関する。
【背景技術】
【０００２】
従来の撮影した画像情報等をネットワーク上に配信するネットワークカメラを用いたネットワークシステムに関連する先行技術文献としては次のようなものがある。
【０００３】
【特許文献１】特開２００３−０２３４４５号公報
【特許文献２】特開２００３−１５８５２１号公報
【特許文献３】特開２００３−１９８５８６号公報
【特許文献４】特開２００３−１９９０８７号公報
【特許文献５】特開２００３−２４９９４１号公報
【０００４】
図１４はこのような従来の撮影した画像情報等をネットワーク上に配信するネットワークカメラを用いたネットワークシステム（具体的には、監視システム）の一例を示す構成ブロック図である。
【０００５】
図１４において１，２及び３は各監視場所に設置され撮影した画像情報等をネットワーク上に配信するネットワークカメラ、４及び５はハブ、６は配信された画像情報を表示させるコンピュータ等の画像表示装置、７は配信された画像情報を記録蓄積するサーバ等の画像記録装置、１００はＬＡＮ（Local Area Network）やインターネット等の汎用のネットワークである。
【０００６】
ネットワークカメラ１，２及び３はハブ４の各ポートにそれぞれ接続され、ハブ４のネットワーク接続端はネットワーク１００に相互に接続される。また、画像表示装置６及び画像記録装置７はそれぞれハブ５の各ポートに接続され、ハブ５のネットワーク接続端はネットワーク１００に相互に接続される。
【０００７】
ここで、図１４に示す従来例の動作を図１５を用いて説明する。図１５は画像表示装置６若しくは画像記録装置７からのネットワークカメラへのアクセス状況を説明する説明図である。
【０００８】
ネットワークカメラ１，２及び３は設置された場所等の画像を撮影すると共に撮影した画像情報をハブ４を介してネットワーク１００上に配信する。一方、画像表示装置６及び画像記録装置７はネットワーク１００上に配信された画像情報をハブ５を介して収集すると共に表示手段に表示させたり、ハードディスク等の記憶手段に順次格納して記録する。
【０００９】
より具体的には、ネットワークカメラ１，２及び３には予め図１５に示すように”ＩＰ０１”、”ＩＰ０２”及び”ＩＰ０３”と言った固定のＩＰアドレスが割り振られており、画像表示装置６及び画像記録装置７は当該ＩＰアドレスに基づき図１５中”ＡＣ０１”及び”ＡＣ０２”に示すようにネットワークカメラ１及び２にそれぞれアクセスすることができる。
【００１０】
この結果、各監視場所にネットワークカメラ１〜３を設置し、撮影した画像情報等をネットワーク１００上に配信させると共に画像表示装置６及び画像記録装置７でネットワーク１００上の画像情報等を収集して表示及び記録することにより、監視システムを構成することができる。
【発明の開示】
【発明が解決しようとする課題】
【００１１】
しかし、図１４に示す従来例では、予めネットワークカメラの台数分のＩＰアドレスを確保すると共に個々のネットワークカメラに対して１台ずつＩＰアドレスの設定を行う必要性があり、設定作業が極めて煩雑になってしまうと言った問題点があった。
【００１２】
また、ネットワークカメラの不具合に起因してネットワークカメラを交換する場合には別途ＩＰアドレスを設定する必要性があり、諸事情によりネットワークカメラのＩＰアドレスを変更した場合にはＩＰアドレス変更情報を画像表示装置６及び画像記録装置７側に提供しなければならないと言った問題点があった。
従って本発明が解決しようとする課題は、ネットワークカメラのＩＰアドレスを意識することなく容易にアクセス可能にするネットワークハブ装置を実現することにある。
【課題を解決するための手段】
【００１３】
このような課題を達成するために、本発明のうち請求項１記載の発明は、
ネットワークハブ装置において、
複数台のネットワーク機器を接続するポートを有するスイッチングハブ手段と、ネットワークを介して通信を行う通信手段と、ハブ管理テーブルを記憶する記憶手段と、前記スイッチングハブ手段のポートに接続されたネットワーク機器からＩＰアドレスの取得要求があった場合にＤＨＣＰサーバ機能を用いて取得要求のあったネットワーク機器に対してＩＰアドレス割り当てると共に前記ネットワーク機器が接続されているポートのポート番号、割り当てた前記ＩＰアドレス及び前記ポートに対するポート名称をそれぞれ前記ハブ管理テーブルに登録する制御手段とを備えたことにより、１台ずつＩＰアドレスの設定を行う必要性がなくなり、作業工数の削減が可能になる。
【００１４】
請求項２記載の発明は、
請求項１記載の発明であるネットワークハブ装置において、
前記制御手段が、
前記通信手段を介して接続要求を受信した場合に受信した接続要求からポート名称を抽出し、抽出されたポート名称に基づき前記記憶手段に格納されている前記ハブ管理テーブルを検索して前記ポート名称に対応するＩＰアドレスを取得し、取得したＩＰアドレスに基づき受信した接続要求のアドレスを変換すると共に前記スイッチングハブ手段を介して当該ＩＰアドレスに対応するネットワーク機器に転送することにより、ネットワーク機器のＩＰアドレスを意識することなく容易にアクセスすることが可能になる。
【００１５】
請求項３記載の発明は、
請求項２記載の発明であるネットワークハブ装置において、
前記接続要求には、
ネットワークハブ装置のＩＰアドレス、接続したいネットワーク機器が接続されているポートに対するポート名称及び要求するファイル名が順次記述されていることにより、ネットワーク機器のＩＰアドレスを意識することなく容易にアクセスすることが可能になる。
【００１６】
請求項４記載の発明は、
請求項３記載の発明であるネットワークハブ装置において、
前記制御手段が、
前記接続要求中の前記ネットワークハブ装置のＩＰアドレス及び前記ポート名称部分を前記取得したＩＰアドレスに置換して受信した接続要求のアドレスを変換することにより、ネットワーク機器のＩＰアドレスを意識することなく容易にアクセスすることが可能になる。
【００１７】
請求項５記載の発明は、
請求項１乃至請求項４のいずれかに記載の発明であるネットワークハブ装置において、
前記記憶手段が、
ハードディスク、ＲＡＭ、若しくは、フラッシュメモリであることにより、１台ずつＩＰアドレスの設定を行う必要性がなくなり、作業工数の削減が可能になる。また、ネットワーク機器のＩＰアドレスを意識することなく容易にアクセスすることが可能になる。
【００１８】
請求項６記載の発明は、
請求項１乃至請求項４のいずれかに記載の発明であるネットワークハブ装置において、
画像情報を前記ネットワーク上に配信する前記ネットワーク機器を用いたネットワークシステムに適用したことにより、１台ずつＩＰアドレスの設定を行う必要性がなくなり、作業工数の削減が可能になる。また、ネットワーク機器のＩＰアドレスを意識することなく容易にアクセスすることが可能になる。
【００１９】
請求項７記載の発明は、
請求項１乃至請求項４のいずれかに記載の発明であるネットワークハブ装置において、
音声情報を前記ネットワーク上に配信する前記ネットワーク機器を用いたネットワークシステムに適用したことにより、１台ずつＩＰアドレスの設定を行う必要性がなくなり、作業工数の削減が可能になる。また、ネットワーク機器のＩＰアドレスを意識することなく容易にアクセスすることが可能になる。
【００２０】
請求項８記載の発明は、
請求項１乃至請求項４のいずれかに記載の発明であるネットワークハブ装置において、
測定情報を前記ネットワーク上に配信する前記ネットワーク機器を用いたネットワークシステムに適用したことにより、１台ずつＩＰアドレスの設定を行う必要性がなくなり、作業工数の削減が可能になる。また、ネットワーク機器のＩＰアドレスを意識することなく容易にアクセスすることが可能になる。
【００２１】
請求項９記載の発明は、
請求項１乃至請求項４のいずれかに記載の発明であるネットワークハブ装置において、
観測情報を前記ネットワーク上に配信する前記ネットワーク機器を用いたネットワークシステムに適用したことにより、１台ずつＩＰアドレスの設定を行う必要性がなくなり、作業工数の削減が可能になる。また、ネットワーク機器のＩＰアドレスを意識することなく容易にアクセスすることが可能になる。
【発明の効果】
【００２２】
本発明によれば次のような効果がある。
請求項１，５，６，７，８及び請求項９の発明によれば、接続されたネットワークハブ装置のＤＨＣＰサーバ機能によりＤＨＣＰクライアント機能を有するネットワーク機器のＩＰアドレスを自動的に設定することにより、１台ずつＩＰアドレスの設定を行う必要性がなくなり、作業工数の削減が可能になる。
【００２３】
また、請求項２，３，４，５，６，７，８及び請求項９の発明によれば、ネットワークハブ装置のＩＰアドレス及び接続したいネットワーク機器が接続されているポートに対するポート名称に基づき接続要求（ＵＲＬ）を作成させ、ポート名称に対応するＩＰアドレスに基づきアドレス変換することにより、ネットワーク機器のＩＰアドレスを意識することなく容易にアクセスすることが可能になる。
【発明を実施するための最良の形態】
【００２４】
以下本発明を図面を用いて詳細に説明する。図１は本発明に係るネットワークハブ装置を用いたネットワークシステム（具体的には、監視システム）の一実施例を示す構成ブロック図である。
【００２５】
図１において５，６，７及び１００は図１４と同一符号を付してあり、８，９及び１０は各監視場所に設置され撮影した画像等をネットワーク上に配信するＤＨＣＰ（Dynamic Host Configuration Protocol：ネットワーク上の機器に動的にＩＰアドレスを割り当てるプロトコル。以下、単にＤＨＣＰと呼ぶ。）クライアント機能を有するネットワークカメラ、１１はＤＨＣＰサーバ機能を有しネットワーク１００側からの接続要求をアドレス変換して転送するネットワークハブ装置である。
【００２６】
ネットワークカメラ８，９及び１０はネットワークハブ装置１１の各ポートにそれぞれ接続され、ネットワークハブ装置１１のネットワーク接続端はネットワーク１００に相互に接続される。また、画像表示装置６及び画像記録装置７はそれぞれハブ５の各ポートに接続され、ハブ５のネットワーク接続端はネットワーク１００に相互に接続される。
【００２７】
また、図２はネットワークハブ装置１１の具体例を示す構成ブロック図であり、図２において８，９，１０及び１００は図１と同一符号を付してあり、１２は複数台のネットワークカメラを接続するポートを有するスイッチングハブ手段、１３は各構成手段を制御すると共にアドレス変換機能やＤＨＣＰサーバ機能を有する制御手段、１４はネットワーク１００を介して通信を行う通信手段、１５はハブ管理テーブルを記憶するハードディスク等の記憶手段である。また、１２，１３，１４及び１５はネットワークハブ装置５０を構成している。
【００２８】
ネットワークカメラ８，９及び１０はスイッチングハブ手段１２の各ポートにそれぞれ接続され、通信手段１４はネットワーク１００に接続される。また、スイッチングハブ手段１２の入出力は制御手段１３に相互に接続され、通信手段１４及び記憶手段１５の入出力もまた制御手段１３に相互に接続される。
【００２９】
ここで、図１及び図２に示す実施例の動作を図３、図４、図５、図６、図７、図８、図９、図１０、図１１、図１２及び図１３を用いて詳細に説明する。
【００３０】
図３はネットワークカメラ８〜１０の動作を説明するフロー図、図４、図９及び図１３は情報の流れを説明する説明図、図５、図１０及び図１２はネットワークハブ装置１１の動作を説明するフロー図、図６はハブ管理テーブルの一例を示す説明図、図７は画像表示装置６若しくは画像記録装置７の動作を説明するフロー図、図８は画像表示装置６若しくは画像記録装置７からネットワークカメラへアクセスするための接続要求（ＵＲＬ（Uniform Resource Locator））の記述様式を示す説明図、図１１はアドレス変換の一例を示す説明図である。
【００３１】
先ず、第１に、ネットワークカメラ８〜１０へのＩＰアドレスの自動設定の動作を説明する。図３中”Ｓ００１”においてネットワークカメラ８〜１０は、ネットワークハブ装置１１のスイッチングハブ１２のポートに接続されたか否かを判断し、もし、当該ポートに接続されたと判断した場合には、図３中”Ｓ００２”においてネットワークカメラ８〜１０は、ネットワークハブ装置１１に対してＤＨＣＰクライアント機能を用いてＩＰアドレスの取得要求を行うと共に図３中”Ｓ００３”においてネットワークカメラ８〜１０は、ＩＰアドレスを取得するまで待機する。
【００３２】
例えば、図４中”ＲＡ１１”に示すようにネットワークカメラ８は、接続されたネットワークハブ装置１１に対してＩＰアドレスの取得要求を送信してＩＰアドレスを取得するまで待機する。
【００３３】
そして、図３中”Ｓ００３”においてネットワークハブ装置１１からＩＰアドレスを取得したと判断した場合には、図３中”Ｓ００４”においてネットワークカメラ８〜１０は、取得したＩＰアドレスを自らのＩＰアドレスとして設定する。
【００３４】
例えば、図４中”ＧＡ１１”に示すようにネットワークカメラ８は、ネットワークハブ装置１１からＩＰアドレスを取得した場合には、取得したＩＰアドレスをネットワークカメラ８のＩＰアドレスとして設定する。
【００３５】
一方、図５中”Ｓ１０１”においてネットワークハブ装置１１は、接続されたネットワークカメラ８〜１０からＩＰアドレスの取得要求があったか否かを判断し、もし、取得要求があったと判断した場合には、図５中”Ｓ１０２”においてネットワークハブ装置１１は、ＤＨＣＰサーバ機能を用いて取得要求のあったネットワークカメラに対してＩＰアドレス割り当て通知する。
【００３６】
また、図５中”Ｓ１０３”、”Ｓ１０４”、”Ｓ１０５”及び”Ｓ１０６”においてネットワークハブ装置１１は、当該ネットワークカメラが接続されているポートのポート番号をハブ管理テーブルに登録し、当該ネットワークカメラのＭＡＣ（Media Access Control address）アドレスをハブ管理テーブルに登録し、当該ネットワークカメラに割り当てたＩＰアドレスをハブ管理テーブルに登録し、当該ネットワークカメラが接続されているポートに対するポート名称をハブ管理テーブルに登録する。
【００３７】
例えば、図６に示すようにネットワークハブ装置１１を構成する記憶手段１５に格納されているハブ管理テーブルには、スイッチングハブ手段１２のポートのポート番号（１，２，３…）に対して、ポート名称（Ｃ１，Ｃ２，Ｃ３…）、接続されたネットワークカメラのＭＡＣアドレス（ＭＡＣ２１，ＭＡＣ２２，ＭＡＣ２３…）及び割り振られたＩＰアドレス（ＩＰ２１、ＩＰ２２、ＩＰ２３…）が登録されている。
【００３８】
第２に、ネットワークカメラ８〜１０へのアクセス動作を説明する。ここで、ネットワークハブ装置１１には固定のＩＰアドレス（具体的には、”ＩＰ３１”）が予め設定されており、画像表示装置６及び画像記録装置７には当該ＩＰアドレス及びネットワークカメラが接続されているポートに対するポート名称に関する情報が存在するものと仮定する。
【００３９】
図７中”Ｓ２０１”において画像表示装置６若しくは画像記録装置７は、ネットワークカメラへ接続するか否かを判断し、もし、ネットワークカメラへ接続すると判断した場合には、図７中”Ｓ２０２”において画像表示装置６若しくは画像記録装置７は、ネットワークハブ装置のＩＰアドレス及び接続したいネットワークカメラが接続されているポートに対するポート名称に基づき接続要求（ＵＲＬ）を作成する。
【００４０】
具体的には、接続要求（ＵＲＬ）としては、図８中”ＦＭ３１”に示すようにスキーム名としてリソースの種類である”http://”（ＨＴＴＰ（HyperText Transfer Protocol））を指定すると共にネットワークハブ装置１１の固定のＩＰアドレス、接続したいネットワークカメラが接続されているポートに対するポート名称及び要求するＨＴＭＬ（Hyper Text Markup Language）ファイル名を”／”で区切って順次記述する。
【００４１】
すなわち、接続したいネットワークカメラが接続されているポートに対するポート名称を”Ｃ１”、要求するＨＴＭＬファイル名を”index.html”とした場合、ネットワークハブ装置１１の固定のＩＰアドレスは”ＩＰ３１”であるので、記述される接続要求（ＵＲＬ）は、図８中”ＣＲ３１”に示すようになる。
【００４２】
図７中”Ｓ２０３”において画像表示装置６若しくは画像記録装置７は、このように記述した接続要求（ＵＲＬ）をネットワークハブ装置１１に送信すると共に図７中”Ｓ２０４”においてネットワークカメラからの応答を受信するまで待機する。
【００４３】
例えば、図９中”ＲＱ３１”に示すように画像表装置６はハブ５、ネットワーク１００を介してネットワークハブ装置１１に対して接続要求（ＵＲＬ）を送信する共にネットワークカメラからの応答を受信するまで待機する。
【００４４】
一方、図１０中”Ｓ３０１”においてネットワークハブ装置１１、具体的には、制御手段１３は、通信手段１４を介して画像表示装置６若しくは画像記録装置７から接続要求を受信したか否かを判断し、もし、接続要求を受信したと判断した場合には、図１０中”Ｓ３０２”においてネットワークハブ装置１１、具体的には、制御手段１３は、受信した接続要求からポート名称を抽出する。
【００４５】
具体的には、図１１中”ＣＲ４１”に示す接続要求からポート名称である”Ｃ１”を抽出する。
【００４６】
そして、図１０中”Ｓ３０３”においてネットワークハブ装置１１、具体的には、制御手段１３は、抽出されたポート名称に基づき記憶手段１５に格納されているハブ管理テーブルを検索して、ポート名称に対応するＩＰアドレスを取得し、図１０中”Ｓ３０４”においてネットワークハブ装置１１、具体的には、制御手段１３は、取得したＩＰアドレスに基づき受信した接続要求のアドレスを変換すると共に図１０中”Ｓ３０５”においてアドレス変換した接続要求をスイッチングハブ手段１２を介して当該ＩＰアドレスに対応するネットワークカメラに転送する。
【００４７】
具体的には、図１１中”ＣＲ４１”に示す接続要求から抽出されたポート名称”Ｃ１”に基づき図６に示すハブ管理テーブルを検索し、対応するＩＰアドレス”ＩＰ２１”を取得し、図１１中”ＣＮ４１”に示すようにネットワークハブ装置１１のＩＰアドレス及びポート名称部分を取得したＩＰアドレス”ＩＰ２１”で置換、言い換えれば、受信した接続要求のアドレスを変換して、図９中”ＲＱ３２”に示すように当該ＩＰアドレスに対応するネットワークカメラ８に転送する。
【００４８】
そして、図１２中”Ｓ４０１”においてネットワークハブ装置１１、具体的には、制御手段１３は、スイッチングハブ手段１２を介してネットワークカメラからの応答を受信したか否かを判断し、もし、応答を受信したと判断した場合には、図１２中”Ｓ４０２”においてネットワークハブ装置１１、具体的には、制御手段１３は、通信手段１４を介して画像表示装置６若しくは画像記録装置７に転送する。
【００４９】
具体的には、ネットワークハブ装置１１は、図１３中”ＲＳ５１”に示すようにネットワークカメラ８から応答を受信した場合には、図１３中”ＴＲ５１”に示すようにネットワーク１００及びハブ５を介して画像表示装置６に転送する。
【００５０】
最後に、図７中”Ｓ２０４”に戻って、ネットワークカメラからの応答を受信したと判断した場合には、図７中”Ｓ２０５”において画像表示装置６若しくは画像記録装置７は、受信情報の表示若しくは記録を行う。
【００５１】
この結果、接続されたネットワークハブ装置１１のＤＨＣＰサーバ機能によりＤＨＣＰクライアント機能を有するネットワークカメラのＩＰアドレスを自動的に設定することにより、１台ずつＩＰアドレスの設定を行う必要性がなくなり、作業工数の削減が可能になる。
【００５２】
また、このようなネットワークカメラに接続する場合、ネットワークハブ装置のＩＰアドレス及び接続したいネットワークカメラが接続されているポートに対するポート名称に基づき接続要求（ＵＲＬ）を作成させ、ポート名称に対応するＩＰアドレスに基づきアドレス変換することにより、ネットワークカメラのＩＰアドレスを意識することなく容易にアクセスすることが可能になる。
【００５３】
さらに、複数台のネットワークカメラに対して１つの固定ＩＰアドレス経由してアクセスできるために、枯渇しているＩＰアドレス資源の有効活用が可能になる。
【００５４】
なお、図１に示す実施例の説明に際しては説明の簡単のためにネットワークカメラを用いた監視システムを例示しているが、勿論、ＤＨＣＰクライアント機能を有するネットワーク機器であればどのような機器であっても構わない。
【００５５】
また、本願発明のネットワークハブ装置を利用可能なネットワークシステムとしては、ネットワークカメラを用いた監視システムのみならず、画像情報、音声情報、測定情報、観測情報等の各種情報をネットワーク上に配信するネットワーク機器を用いたネットワークシステムに適用することが可能である。
【００５６】
また、ネットワークハブ装置を構成する記憶手段１５としてはハードディスクを例示しているが、勿論、ＲＡＭ（Random Access Memory）やフラッシュメモリ（電気的に書き換え可能なＲＯＭ（Read Only Memory））等の記憶手段を用いても構わない。
【図面の簡単な説明】
【００５７】
【図１】本発明に係るネットワークハブ装置を用いたネットワークシステムの一実施例を示す構成ブロック図である。
【図２】ネットワークハブ装置の具体例を示す構成ブロック図である。
【図３】ネットワークカメラの動作を説明するフロー図である。
【図４】情報の流れを説明する説明図である。
【図５】ネットワークハブ装置の動作を説明するフロー図である。
【図６】ハブ管理テーブルの一例を示す説明図である。
【図７】画像表示装置若しくは画像記録装置の動作を説明するフロー図である。
【図８】画像表示装置若しくは画像記録装置からネットワークカメラへアクセスするための接続要求の記述様式を示す説明図である。
【図９】情報の流れを説明する説明図である。
【図１０】ネットワークハブ装置の動作を説明するフロー図である。
【図１１】アドレス変換の一例を示す説明図である。
【図１２】ネットワークハブ装置の動作を説明するフロー図である。
【図１３】情報の流れを説明する説明図である。
【図１４】ネットワークカメラを用いたネットワークシステムの一例を示す構成ブロック図である。
【図１５】画像表示装置若しくは画像記録装置からのネットワークカメラへのアクセス状況を説明する説明図である。
【符号の説明】
【００５８】
１，２，３，８，９，１０  ネットワークカメラ
４，５  ハブ
６  画像表示装置
７  画像記録装置
１１，５０  ネットワークハブ装置
１２  スイッチングハブ手段
１３  制御手段
１４  通信手段
１５  記憶手段
１００  ネットワーク
【図１】
2006054771.tif 000003
【図２】
2006054771.tif 000004
【図３】
2006054771.tif 000005
【図４】
2006054771.tif 000006
【図５】
2006054771.tif 000007
【図６】
2006054771.tif 000008
【図７】
2006054771.tif 000009
【図８】
2006054771.tif 000010
【図９】
2006054771.tif 000011
【図１０】
2006054771.tif 000012
【図１１】
2006054771.tif 000013
【図１２】
2006054771.tif 000014
【図１３】
2006054771.tif 000015
【図１４】
2006054771.tif 000016
【図１５】
2006054771.tif 000017